(57)【特許請求の範囲】
【請求項１】
生体を圧迫するための流体袋と、
第１主面および第２主面を有し、前記流体袋を一端部側に内包する外装カバーと、
前記第１主面上の前記一端部側に設けられた第１係止部材と、
前記第１主面上の他端部側または前記第２主面上の前記他端部側のいずれかに設けられた第２係止部材と、
を備え、
前記外装カバーは前記生体に対して環状に巻き付けられ、
前記第１係止部材および前記第２係止部材は、巻き付けられた前記外装カバーの前記生体に対する締結状態を保持し、
前記外装カバーは、前記外装カバーのうち前記第２係止部材が設けられている領域を含む部分において、前記外装カバーのうち前記第１係止部材が設けられている領域を含む部分の幅よりも前記外装カバーの幅が広くなる第１幅広部を有し、
前記第２係止部材は、前記第１係止部材の幅よりも前記第２係止部材の幅が広くなる第２幅広部を有する、
血圧情報測定装置用カフ。
【請求項２】
前記外装カバーにおける前記第１幅広部および前記第２係止部材における前記第２幅広部は、前記外装カバーの前記一端部側から前記他端部側に向かうにつれ、幅方向外側にその幅が徐々に広がる略円弧状の形状を有している、
請求項１に記載の血圧情報測定装置用カフ。
【請求項３】
前記外装カバーにおける前記第１幅広部および前記第２係止部材における前記第２幅広部は、前記外装カバーの前記一端部側から前記他端部側に向かうにつれ、幅方向の両外側に広がる形状を有している、
請求項１または２に記載の血圧情報測定装置用カフ。
【請求項４】
前記外装カバーにおける前記第１幅広部および前記第２係止部材における前記第２幅広部は、前記第１主面側または前記第２主面側に折り曲げることが可能である、
請求項１から３のいずれかに記載の血圧情報測定装置用カフ。
【請求項５】
前記第２係止部材と、前記外装カバーのうち前記第２係止部材が設けられている領域を含む部分とには、前記第１主面側から前記第２主面側に向かって貫通する開口部がそれぞれ設けられている、
請求項１から４のいずれかに記載の血圧情報測定装置用カフ。
【請求項６】
生体を圧迫するための流体袋と、
前記流体袋を内包する第１の外装カバーと、
前記第１の外装カバーに設けられた第１係止部材と、
第２の外装カバーと、
前記第２の外装カバーに設けられた第２係止部材と、
前記第１の外装カバーの他端部側と前記第２の外装カバーの一端部側とを回動可能に接続する接続部材と、
を備え、
前記第１の外装カバーおよび前記第２の外装カバーは前記接続部材により相互に接続された状態で前記生体に対して環状に巻き付けられ、
前記第１係止部材および前記第２係止部材は、巻き付けられた前記第１の外装カバーおよび前記第２の外装カバーの前記生体に対する締結状態を保持する、
血圧情報測定装置用カフ。
【請求項７】
請求項１から６のいずれかに記載の血圧情報測定装置用カフと、
前記流体袋を膨縮させる膨縮機構と、
血圧情報を取得する血圧情報取得部とを備えた、
血圧情報測定装置。
【発明の詳細な説明】
【技術分野】
【０００１】
本発明は、血圧値等の血圧情報を測定する際に被測定部位に装着されて使用される血圧情報測定装置用カフ、およびこれを備えた血圧情報測定装置に関する。
【背景技術】
【０００２】
血圧情報測定装置は、被験者の血圧情報を取得する。血圧情報測定装置が取得する血圧情報には、収縮期血圧値（最高血圧値）、拡張期血圧値（最低血圧値）、平均血圧値、被験者の脈波、脈拍、またはＡＩ（Augmentation Index）値など、被験者の循環器系の種々の情報などが含まれる。これらの血圧情報に基づき、被験者の心臓の負荷、または被験者の動脈硬さの変化などを把握することができる。血圧情報測定装置は、被験者の循環器系の疾患の早期発見、予防または治療などのために使用されている。
【０００３】
一般に、血圧情報の測定には、血圧情報測定装置用カフ（以下、単にカフとも称する）が使用される。カフは、内腔を有する帯状の部材であって、上腕などの生体の一部に巻き付けることができる。カフは、生体（動脈）を圧迫するための流体袋を内包している。
【０００４】
収縮期血圧値または拡張期血圧値などの血圧値を測定するための血圧情報測定装置（以下、単に血圧計とも称する）においては、カフが生体の一部の体表面に巻き付けられたあと、カフに内包される流体袋に気体や液体等の流体が注入および排出される。流体袋は、流体が注入および排出されることにより膨張および収縮し、このときに発生する流体袋の内圧の変化が、動脈圧脈波または血圧値として取得される。
【０００５】
図１４は、一般的なカフ１００Ａを展開したときの平面図を示している。図１４において、外装カバー３０の一部を破断して図示しているが、実際には当該一部において外装カバー３０は連続している。後述する図１５においても同様である。
【０００６】
図１４を参照して、カフ１００Ａは、外装カバー３０と、外装カバー３０に流体袋として内包される空気袋（不図示）と、面ファスナー４１と、面ファスナー４２とを有している。
【０００７】
外装カバー３０は、表面３１、裏面３２、一端部３０ａ、他端部３０ｂ、一方の側部３０ｃ、および他方の側部３０ｄを有している。
【０００８】
空気袋は、外装カバー３０に内包された状態でエア管８０に接続されている。空気袋は、外装カバー３０の長手方向における一端部３０ａ側に設けられている。ここで言う長手方向とは、外装カバー３０の一端部３０ａと他端部３０ｂとを結ぶ方向である。
【０００９】
面ファスナー４１は、外装カバー３０の表面３１上に設けられている。面ファスナー４２は、外装カバー３０の裏面３２上に設けられている。面ファスナー４１と面ファスナー４２とは、相互に係止することが可能である。
【００１０】
カフ１００Ａは、外装カバー３０の裏面３２と生体（不図示）とが対向するように載置される（図１６参照）。カフ１００Ａは、生体に対して環状に巻き付けられる。面ファスナー４１と面ファスナー４２とが相互に係止することにより、環状に巻き付けられた外装カバー３０の生体に対する締結状態が保持される。外装カバー３０に内包される空気袋が生体に対して固定され、血圧情報の測定が可能となる。カフ１００Ａと略同様の構成を有するカフが、下記の特許文献１（特開２００４−１６６９４３号公報）に開示されている。
【００１１】
図１５を参照して、外装カバー３０の他の形状について説明する。カフ１００Ｂの外装カバー３０のように、一端部３０ａから他端部３０ｂに向かって徐々に外装カバー３０の幅が狭くなるように構成される場合もある。カフ１００Ｂの外装カバー３０は、側部３０ｄのみにおいて外装カバー３０の幅が狭くなるように構成されているが、側部３０ｃおよび側部３０ｄの双方において外装カバー３０の幅が狭くなるように構成される場合もある。
【００１２】
図１６を参照して、カフ１００Ａがたとえば上腕７０に巻き付けられたとき、外装カバー３０の他端部３０ｂが肩側に偏った状態で係止される場合がある。他端部３０ｂ付近における外装カバー３０の側部３０ｃは、既に巻き付けられている（一端部３０ａ側の）外装カバー３０の表面３１から、外側（上腕７０の表面）に向かってはみ出して配置されている。肩近くの上腕７０周りの長さＨ１と、肘近くの上腕７０周りの長さＨ２との差が大きいほど、外装カバー３０の他端部３０ｂは肩側に偏った状態で係止される。
【００１３】
この場合、面ファスナー４１と面ファスナー４２との接触面積が小さくなるため、面ファスナー４１と面ファスナー４２との係止力が小さくなる。空気袋を所望の圧力で膨張および収縮させることができなくなり、ひいては血圧値の測定中にカフ１００Ａが上腕７０から外れてしまうこともある。その結果、測定値にばらつきが生じ、精度よく安定的に血圧情報を測定することが困難になる。図１５に示すカフ１００Ｂがたとえば上腕７０に巻き付けられたときも同様に、面ファスナー４１と面ファスナー４２との接触面積が小さくなり、測定値にばらつきが生じ、精度よく安定的に血圧情報を測定することが困難になる。
【００１４】
図１７を参照して、カフ１００Ａが上腕７０に巻き付けられたとき、面ファスナー４２が面ファスナー４１を視覚的に重なり合うように巻き付けられる場合もある。換言すると、他端部３０ｂ付近における外装カバー３０の側部３０ｃは、既に上腕７０に巻きつけられている（一端部３０ａ側の）外装カバー３０の側部３０ｃと重なり合うように配置される。他端部３０ｂ付近における外装カバー３０の側部３０ｄも同様に、既に上腕７０に巻きつけられている（一端部３０ａ側の）外装カバー３０の側部３０ｄと重なり合うように配置される。
【００１５】
この場合、上記長さＨ１と上記長さＨ２との差が大きいほど、外装カバー３０の側部３０ｄ側（肘に近い側）の長さが不足し、外装カバー３０の側部３０ｃ側（肩に近い側）の長さが余分となり、面ファスナー４１と面ファスナー４２との間に隙間Ｓが生じる。
【００１６】
隙間Ｓにより面ファスナー４１と面ファスナー４２との接触面積が小さくなるため、面ファスナー４１と面ファスナー４２との係止力が小さくなる。空気袋を所望の圧力で膨張および収縮させることができなくなり、ひいては血圧値の測定中にカフ１００Ａが上腕７０から外れてしまうこともある。その結果、測定値にばらつきが生じ、精度よく安定的に血圧情報を測定することが困難になる。
【先行技術文献】
【特許文献】
【００１７】
【特許文献１】特開２００４−１６６９４３号公報
【発明の概要】
【発明が解決しようとする課題】
【００１８】
本発明は、被測定部位に対する装着を確実に行なうことが可能な血圧情報測定装置用カフおよびこれを備えた血圧情報測定装置を提供することを目的とする。
【課題を解決するための手段】
【００１９】
本発明の第１の局面に基づく血圧情報測定装置用カフは、生体を圧迫するための流体袋と、第１主面および第２主面を有し、上記流体袋を一端部側に内包する外装カバーと、上記第１主面上の上記一端部側に設けられた第１係止部材と、上記第１主面上の他端部側または上記第２主面上の上記他端部側のいずれかに設けられた第２係止部材と、を備え、上記外装カバーは上記生体に対して環状に巻き付けられ、上記第１係止部材および上記第２係止部材は、巻き付けられた上記外装カバーの上記生体に対する締結状態を保持し、上記外装カバーは、上記外装カバーのうち上記第２係止部材が設けられている領域を含む部分において、上記外装カバーのうち上記第１係止部材が設けられている領域を含む部分の幅よりも上記外装カバーの幅が広くなる第１幅広部を有し、上記第２係止部材は、上記第１係止部材の幅よりも上記第２係止部材の幅が広くなる第２幅広部を有する。
【００２０】
上記発明の他の形態においては、上記外装カバーにおける上記第１幅広部および上記第２係止部材における上記第２幅広部は、上記外装カバーの上記一端部側から上記他端部側に向かうにつれ、幅方向外側にその幅が徐々に広がる略円弧状の形状を有している。
【００２１】
上記発明の他の形態においては、上記外装カバーにおける上記第１幅広部および上記第２係止部材における上記第２幅広部は、上記外装カバーの上記一端部側から上記他端部側に向かうにつれ、幅方向の両外側に広がる形状を有している。
【００２２】
上記発明の他の形態においては、上記外装カバーにおける上記第１幅広部および上記第２係止部材における上記第２幅広部は、上記第１主面側または上記第２主面側に折り曲げることが可能である。
【００２３】
上記発明の他の形態においては、上記第２係止部材と、上記外装カバーのうち上記第２係止部材が設けられている領域を含む部分とには、上記第１主面側から上記第２主面側に向かって貫通する開口部がそれぞれ設けられている。
【００２４】
本発明の第２の局面に基づく血圧情報測定装置用カフは、生体を圧迫するための流体袋と、上記流体袋を内包する第１の外装カバーと、上記第１の外装カバーに設けられた第１係止部材と、第２の外装カバーと、上記第２の外装カバーに設けられた第２係止部材と、上記第１の外装カバーの他端部側と上記第２の外装カバーの一端部側とを回動可能に接続する接続部材と、を備え、上記第１の外装カバーおよび上記第２の外装カバーは上記接続部材により相互に接続された状態で上記生体に対して環状に巻き付けられ、上記第１係止部材および上記第２係止部材は、巻き付けられた上記第１の外装カバーおよび上記第２の外装カバーの上記生体に対する締結状態を保持する。
【００２５】
本発明に基づく血圧情報測定装置は、上記いずれかに記載の血圧情報測定装置用カフと、上記流体袋を膨縮させる膨縮機構と、血圧情報を取得する血圧情報取得部とを備えている。
【発明の効果】
【００２６】
本発明によれば、被測定部位に対する装着を確実に行なうことが可能な血圧情報測定装置用カフおよびこれを備えた血圧情報測定装置を得ることができる。
【図面の簡単な説明】
【００２７】
【図１】実施の形態１における血圧計の全体構成を示す図である。
【図２】実施の形態１におけるカフを示す平面図である。
【図３】実施の形態１における血圧計の機能ブロックを示す図である。
【図４】実施の形態１における血圧計の処理の流れを示す図である。
【図５】実施の形態１の第１変形例におけるカフを示す平面図である。
【図６】実施の形態１の第２変形例におけるカフを示す平面図である。
【図７】実施の形態１の第３変形例におけるカフを示す平面図である。
【図８】実施の形態１の第４変形例におけるカフを示す平面図である。
【図９】実施の形態１の第５変形例におけるカフを示す平面図である。
【図１０】実施の形態１の第６変形例におけるカフを示す平面図である。
【図１１】実施の形態１の第７変形例におけるカフを示す平面図である。
【図１２】実施の形態２におけるカフを示す平面図である。
【図１３】実施の形態３における血圧計の全体構成を示す図である。
【図１４】一般的なカフを示す平面図である。
【図１５】他の一般的なカフを示す平面図である。
【図１６】一般的なカフが上腕に締結された様子を示す図である。
【図１７】一般的なカフが上腕に締結された他の様子を示す図である。
【発明を実施するための形態】
【００２８】
本発明に基づいた各実施の形態における血圧情報測定装置用カフおよびこれを備えた血圧情報測定装置について、以下、図面を参照しながら説明する。
【００２９】
以下の各実施の形態においては、血圧情報測定装置用カフの一例として、上腕に巻き付けられて使用される血圧計用カフについて説明する。血圧情報測定装置用カフを備えた血圧情報測定装置の一例として、上記血圧計用カフを用いて収縮期血圧値および拡張期血圧値等の血圧値を測定可能とした血圧計について説明する。
【００３０】
以下の各実施の形態においては、個数、量などに言及する場合、特に記載がある場合を除き、本発明の範囲は必ずしもその個数、量などに限定されない。以下に説明する各実施の形態において、同一の部品、相当部品に対しては、同一の参照番号を付し、重複する説明は繰り返さない場合がある。
【００３１】
［実施の形態１］
図１〜図４を参照して、本実施の形態における血圧計１について説明する。
【００３２】
（血圧計１の構成）
図１を参照して、血圧計１は、本体１０と、カフ２０と、エア管８０とを備えている。本体１０は箱状の筐体を有している。本体１０の上面には、表示部１２および操作部１５が設けられている。本体１０は、測定時においてテーブル等に載置されて使用される。
【００３３】
カフ２０は、外装カバー３０と、外装カバー３０に流体袋として内包される空気袋３４と、面ファスナー４１（第１係止部材）と、面ファスナー４２（第２係止部材）とを有している。
【００３４】
外装カバー３０は、表面（第１主面）３１、裏面（第２主面）３２、一端部３０ａ、他端部３０ｂ、一方の側部３０ｃ、および他方の側部３０ｄを有している。外装カバー３０は、表面３１を構成する部材と、裏面３２を構成する部材とを重ね合わせて、その周縁を接合（たとえば縫合や溶着等）することによって袋状の部材として構成されている。カフ２０は、外装カバー３０の裏面３２とたとえば上腕などの生体とが対向するように配置される。
【００３５】
外装カバー３０の裏面３２側を構成する部材としては、好適には空気袋３４の膨張によって上腕に加えられる圧迫力が阻害されないように、十分に伸縮性に富んだ部材が使用される。
【００３６】
外装カバー３０の表面３１側を構成する部材としては、外装カバー３０の裏面３２側を構成する部材に比して伸縮性に乏しい部材が使用される。外装カバー３０の表面３１側を構成する部材としては、伸縮性の大小を比較的容易に調整することができるポリアミド（ＰＡ）、ポリエステル等の合成繊維からなる布地等が使用される。
【００３７】
空気袋３４は、エア管８０に接続されている。空気袋３４は、外装カバー３０の長手方向における一端部３０ａ側に内包されている。空気袋３４は、袋状の部材から構成され、内部に膨縮空間を有している。空気袋３４は、好適には樹脂シートを用いて構成される。空気袋３４は、たとえば２枚の樹脂シートを重ね合わせ、その周縁を溶着することによって袋状に構成される。
【００３８】
空気袋３４を構成する樹脂シートの材質には、伸縮性に富んでおり溶着後において膨縮空間からの漏気がないものであればどのようなものでも使用可能である。好適には、空気袋３４を構成する樹脂シートの材質は、たとえばエチレン−酢酸ビニル共重合体（ＥＶＡ）、軟質塩化ビニル（ＰＶＣ）、ポリウレタン（ＰＵ）、天然ゴム（ＮＲ）等である。
【００３９】
エア管８０は、分離して構成された本体１０とカフ２０に内包される空気袋３４とを接続している。空気袋３４は、本体１０からエア管８０を通じて流体が注入されることにより膨張する。空気袋３４は、本体１０からエア管８０を通じて流体が排出されることにより収縮する。この膨張および収縮により、空気袋３４はたとえば上腕などの生体を圧迫することができる。
【００４０】
外装カバー３０には、空気袋３４に加えて湾曲弾性板としてカーラ（不図示）が内包される場合もある。カーラは、一般的には、生体にフィットするように可撓性の部材により、略円筒形状に構成される。カーラは、一部が筒軸方向に破断されており、外装カバー３０の長手方向に沿って外装カバー３０に内包される。これにより、カーラは生体に巻きつけられる際に径方向に弾性変形することができる。カーラは、空気袋３４の外側（カフ２０を生体に巻きつけた際の空気袋３４の外側）に配置される。
【００４１】
（外装カバー３０および面ファスナー４１，４２の詳細）
図２は、本実施の形態における血圧計１に用いられるカフ２０を展開したときの平面図を示している。
【００４２】
図２においては、外装カバー３０に内包される空気袋（３４）を記載していない。後述する実施の形態１の第１変形例〜第７変形例、および実施の形態２の説明に関する図５〜図１２においても同様である。
【００４３】
図２においては、外装カバー３０の一部を破断して図示しているが、実際には当該一部において外装カバー３０は連続している。図５〜図１２においても同様である。
【００４４】
図２を参照して、外装カバー３０の一方の側部３０ｃは、長手方向に沿って略直線状に構成されている。外装カバー３０のうち、面ファスナー４１が設けられている領域Ｒ１を含む部分は、長手方向に延びて略帯状に構成されている。当該部分は、幅Ｗ１を有している。
【００４５】
外装カバー３０においては、他方の側部３０ｄのみが外側（紙面下方側）に湾曲して広がるように構成されている。外装カバー３０の他方の側部３０ｄは、一端部３０ａ側から他端部３０ｂ側に向かうにつれ、外装カバー３０のうち面ファスナー４２が設けられている領域Ｒ２を含む部分において、外装カバー３０の幅が徐々に広くなるように構成されている。この構成に続いて、外装カバー３０の他方の側部３０ｄは、一端部３０ａ側から他端部３０ｂ側に向かうにつれ、外装カバー３０の幅が比較的急峻に狭くなるように構成されている。
【００４６】
外装カバー３０のうち、面ファスナー４２が設けられている領域Ｒ２を含む部分は、その一部において幅Ｗ２を有している。
【００４７】
面ファスナー４２が設けられている領域Ｒ２を含む部分の一部における幅Ｗ２は、外装カバー３０のうち面ファスナー４１が設けられている領域Ｒ１を含む部分の幅Ｗ１よりも広く設定されている。外装カバー３０の当該広く設定されている部分において、外装カバー３０は、他方の側部３０ｄ側に突出する第１幅広部３３Ａを有している。
【００４８】
面ファスナー４１は、外装カバー３０の表面３１上において略矩形状に設けられている。面ファスナー４１は、外装カバー３０の一端部３０ａ側に設けられている。面ファスナー４１は、外装カバー３０の幅方向の略中心位置に設けられている。面ファスナー４１は、幅Ｌ１を有している。
【００４９】
面ファスナー４２は、外装カバー３０の裏面３２上に設けられている。面ファスナー４２は、外装カバー３０の他端部３０ｂ側に設けられている。面ファスナー４２は、一端部４２ａ、他端部４２ｂ、一方の側部４２ｃ、および他方の側部４２ｄを有している。
【００５０】
面ファスナー４２の一方の側部４２ｃは、外装カバー３０の長手方向と略平行な直線状に構成されている。
【００５１】
面ファスナー４２においては、他方の側部４２ｄのみが外側（紙面下方側）に湾曲して広がるように構成されている。面ファスナー４２の他方の側部４２ｄは、一端部４２ａ側から他端部４２ｂ側に向かうにつれ、面ファスナー４２の幅が徐々に広くなるように構成されている。面ファスナー４２の他方の側部４２ｄは、一端部４２ａ側から他端部４２ｂ側に向かうにつれ、他端部４２ｂの付近において、面ファスナー４２の幅が比較的急峻に狭くなるように構成されている。面ファスナー４２は、その一部において幅Ｌ２を有している。
【００５２】
面ファスナー４２の一部における幅Ｌ２は、面ファスナー４１における幅Ｌ１よりも広く設定されている。面ファスナー４２の当該広く設定されている部分において、面ファスナー４２は、他方の側部４２ｄ側に突出する第２幅広部４３Ａを有している。
【００５３】
上記構成を有する血圧計１を使用して血圧値を測定するときは、カフ２０が、外装カバー３０の裏面３２とたとえば上腕とが対向するように載置される。
【００５４】
外装カバー３０は、長手方向における空気袋３４（図１参照）の略中心位置と、被測定部位とが対向するように、上腕に対して環状に巻き付けられる。面ファスナー４１と面ファスナー４２とは、重ね合わされることによって相互に係止し、巻き付けられた外装カバー３０の生体に対する締結状態を保持する。外装カバー３０に内包される空気袋が生体に対して固定され、血圧情報の測定が可能となる。
【００５５】
（血圧計１の機能ブロック）
図３を参照して、血圧計１の機能ブロックについて説明する。血圧計１の本体１０は、上述した表示部１２および操作部１５に加え、制御部１１と、メモリ部１３と、電源部１４と、加圧ポンプ１６ａと、排気弁１６ｂと、圧力センサ１６ｃと、加圧ポンプ駆動回路１７ａと、排気弁駆動回路１７ｂと、発振回路１７ｃとを備えている。
【００５６】
加圧ポンプ１６ａ、排気弁１６ｂおよび圧力センサ１６ｃは、血圧計１におけるエア系コンポーネント１６に相当する。加圧ポンプ１６ａおよび排気弁１６ｂは、空気袋３４を膨張および収縮させるための血圧計１における膨縮機構に相当する。
【００５７】
空気袋３４は、上述のとおりその内部に内腔としての膨縮空間を有している。空気袋３４は、エア管８０を介して加圧ポンプ１６ａ、排気弁１６ｂおよび圧力センサ１６ｃのそれぞれに接続されている。
【００５８】
制御部１１は、たとえばＣＰＵ（Central Processing Unit）から構成される。制御部１１は、血圧計１の全体を制御する。表示部１２は、たとえばＬＣＤ（Liquid Crystal Display）にて構成される。表示部１２は、測定結果等を表示する。
【００５９】
メモリ部１３は、処理用メモリ１３ａとデータ用メモリ１３ｂとから構成される。メモリ部１３は、処理用メモリ１３ａおよびデータ用メモリ１３ｂにより、血圧値測定のための処理手順を制御部１１等に実行させるためのプログラムを記憶したり、測定結果等を記憶したりする。
【００６０】
電源部１４は、制御部１１に電源としての電力を供給する。操作部１５は、電源スイッチ１５ａと、測定スイッチ１５ｂと、停止スイッチ１５ｃと、記録呼出スイッチ１５ｄとから構成される。操作部１５は、被験者等により各スイッチ１５ａ〜１５ｄの操作を受けて、外部からの命令を制御部１１または電源部１４に入力する。
【００６１】
制御部１１は、加圧ポンプ１６ａおよび排気弁１６ｂを駆動するための制御信号を加圧ポンプ駆動回路１７ａおよび排気弁駆動回路１７ｂにそれぞれ入力する。制御部１１は、測定結果としての血圧値をメモリ部１３または表示部１２に入力する。
【００６２】
制御部１１は、圧力センサ１６ｃによって検出された圧力値に基づいて被験者の血圧値を取得する血圧情報取得部（不図示）を含んでいる。血圧情報測定部によって取得された血圧値が、測定結果として上述したメモリ部１３または表示部１２に入力される。
【００６３】
血圧計１は、測定結果としての血圧値を外部の機器（たとえばＰＣ（Personal Computer）やプリンタ等）に出力する出力部を別途有していてもよい。出力部としては、たとえばシリアル通信回線または各種の記録媒体への書き込み装置等が使用可能である。
【００６４】
加圧ポンプ１６ａの膨縮動作は、制御部１１から入力された制御信号に基づいて加圧ポンプ駆動回路１７ａにより制御される。加圧ポンプ１６ａは、空気袋３４の内腔に空気などの流体を供給することにより、空気袋３４の内部の圧力（以下、「カフ圧」とも称する）を加圧する。
【００６５】
排気弁１６ｂの開閉動作は、制御部１１から入力された制御信号に基づいて排気弁駆動回路１７ｂにより制御される。排気弁１６ｂは、空気袋３４の内部の圧力を維持したり、空気袋３４の内腔を外部に開放してカフ圧を減圧したりする。
【００６６】
圧力センサ１６ｃは、空気袋３４の内部の圧力に応じた出力信号を発振回路１７ｃに入力する。発振回路１７ｃは、圧力センサ１６ｃから入力された信号に応じた発振周波数の信号を生成し、生成した信号を制御部１１に入力する。
【００６７】
（血圧計１の処理の流れ）
図３および図４を参照して、血圧計１の処理の流れについて説明する。血圧計１の処理の流れに従うプログラムは、メモリ部１３に予め記憶されている。制御部１１がメモリ部１３からこのプログラムを読み出して実行することにより、血圧計１の処理が実行される。
【００６８】
血圧値を測定する際には、被験者は予めカフ２０を上腕に装着する。この状態において、被験者は本体１０に設けられた操作部１５（電源スイッチ１５ａ）を操作して、血圧計１の電源をＯＮにする（ステップＳＴ１）。
【００６９】
電源部１４から制御部１１に対して電源としての電力が供給されて制御部１１が駆動する。制御部１１はメモリ部１３の初期化を行なう（ステップＳＴ２）。制御部１１は、圧力センサ１６ｃの初期化を行なう（ステップＳＴ３）。
【００７０】
制御部１１は被験者の測定開始の指示を待つ。被験者が測定開始の指示として、操作部１５（測定スイッチ１５ｂ）を操作する（ステップＳＴ４）。制御部１１は、排気弁１６ｂを閉塞させるとともに加圧ポンプ１６ａを駆動させる。空気袋３４の加圧が開始される（ステップＳＴ５）。
【００７１】
空気袋３４のカフ圧は上昇する。空気袋３４のカフ圧は、血圧値測定のために必要な所定のカフ圧以上にまで達する（ステップＳＴ６）。制御部１１は加圧ポンプ１６ａを停止させ、閉じていた排気弁１６ｂを開放する。空気袋３４内の空気が排気され、空気袋３４の減圧が徐々に開始される（ステップＳＴ７）。
【００７２】
本実施の形態における血圧計１においては、カフ圧が徐々に減圧される過程において血圧値を測定する。血圧計１は、制御部１１により収縮期血圧値および拡張期血圧値等の血圧値を算出する（ステップＳＴ８）。
【００７３】
制御部１１は、空気袋３４のカフ圧が徐々に減圧する過程において発振回路１７ｃから得られる発振周波数に基づき、脈波情報を抽出する。制御部１１は、抽出された脈波情報に基づいて血圧値を決定する（ステップＳＴ９）。
【００７４】
血圧値が決定されると、制御部１１は、排気弁１６ｂを開放して空気袋３４内の空気を完全に排気する（ステップＳＴ１０）。制御部１１は、測定結果としての血圧値を表示部１２に表示する（ステップＳＴ１１）。制御部１１は、当該血圧値をメモリ部１３に格納し、データとして記録する（ステップＳＴ１２）。
【００７５】
被験者は、本体に設けられた操作部１５（電源スイッチ１５ａ）を操作して、血圧計１の電源をＯＦＦにする。電源ＯＦＦにより、血圧計１の動作は終了する（ステップＳＴ１３）。
【００７６】
以上において説明した測定方式は、空気袋３４の減圧時に脈波を検出するいわゆる減圧測定方式である。本実施の形態における血圧計１の測定方式は減圧測定方式に限られず、空気袋３４の加圧時に脈波を検出するいわゆる加圧測定方式を採用することも可能である。
【００７７】
（効果）
図１を参照して、カフ２０は、外装カバー３０の裏面３２と、生体としてたとえば被験者の左腕の上腕（不図示）とが対向するように載置される。カフ２０は、被験者の右手により、長手方向における空気袋３４の略中心位置と、被測定部位とが対向するように、上腕に対して環状に巻き付けられる。
【００７８】
カフ２０が上腕に対して環状に巻きつけられる際、外装カバー３０の一端部３０ａが、上腕と外装カバー３０の裏面３２との間に挟み込まれる。外装カバー３０は、上腕に対して締結される。面ファスナー４１および面ファスナー４２は、相互に係止することによって、巻き付けられた外装カバー３０の上腕に対する締結状態を保持する。外装カバー３０に内包される空気袋３４が上腕に対して固定され、血圧情報の測定が可能となる。
【００７９】
本実施の形態における血圧計１においては、外装カバー３０に第１幅広部３３Ａが設けられ、かつ面ファスナー４２に第２幅広部４３Ａが設けられている。本実施の形態における血圧計１においては、第１幅広部３３Ａおよび第２幅広部４３Ａが設けられている側の側部（他方の側部３０ｄ）を、肘側（図１６参照）に位置するように配置する。
【００８０】
カフ２０が、生体としてたとえば上腕に巻き付けられたとき、外装カバー３０の他端部３０ｂにおける側部３０ｃが、肩側に偏った状態で係止される場合がある。冒頭において図１６を参照して説明した面ファスナー４１のうち面ファスナー４２と接触せずに露出していた部分は、本実施の形態における血圧計１によれば、第２幅広部４３Ａにより覆われる。
【００８１】
面ファスナー４１と面ファスナー４２とは相互に十分な接触面積をもって接触する。面ファスナー４１と面ファスナー４２との接触面積が大きくなることにより、面ファスナー４１と面ファスナー４２との係止力を十分に確保することができる。
【００８２】
空気袋３４を所望の圧力で膨張および収縮させることが可能となり、血圧値の測定中にカフ２０が上腕などの生体から外れてしまうことを防止できる。したがって、本実施の形態におけるカフ２０およびこれを備えた血圧計１によれば、被測定部位に対する装着を確実に行なうことが可能となり、測定値にばらつきが生じることも無く、精度よく安定的に血圧情報を測定することが可能となる。
【００８３】
［第１変形例］
図５を参照して、実施の形態１の第１変形例における血圧計について説明する。本変形例の説明においては、実施の形態１との相違点についてのみ説明する。実施の形態１と本変形例とは、カフの構成において相違し、その他の構成については略同様である。
【００８４】
より具体的には、実施の形態１と本変形例とは、カフ２１（図５参照）を構成する外装カバー３０の外形形状、およびカフ２１を構成する面ファスナー４２の外形形状において相違する。
【００８５】
本変形例における外装カバー３０のうち、面ファスナー４１が設けられている領域Ｒ１を含む部分は、実施の形態１と同様に長手方向に延びて略帯状に構成されている。当該部分は、幅Ｗ１を有している。
【００８６】
本変形例における外装カバー３０のうち、面ファスナー４２が設けられている領域Ｒ２を含む部分においては、他方の側部３０ｄに加え、一方の側部３０ｃも外側（紙面上方側）に広がるように構成されている。
【００８７】
外装カバー３０の一方の側部３０ｃは、一端部３０ａ側から他端部３０ｂ側に向かうにつれ、外装カバー３０のうち面ファスナー４２が設けられている領域Ｒ２を含む部分において、外装カバー３０の幅が（紙面上方側に）徐々に広がるような円弧状に構成されている。
【００８８】
外装カバー３０の他方の側部３０ｄは、一端部３０ａ側から他端部３０ｂ側に向かうにつれ、外装カバー３０のうち面ファスナー４２が設けられている領域Ｒ２を含む部分において、外装カバー３０の幅が（紙面下方側に）徐々に広がるような円弧状に構成されている。
【００８９】
外装カバー３０のうち面ファスナー４２が設けられている領域Ｒ２を含む部分は、その一部において幅Ｗ２を有している。
【００９０】
面ファスナー４２が設けられている領域Ｒ２を含む部分の一部における幅Ｗ２は、実施の形態１と同様に、外装カバー３０のうち領域Ｒ１を含む部分の幅Ｗ１よりも広く設定されている。外装カバー３０の当該広く設定されている部分において、外装カバー３０は、他方の側部３０ｄ側に突出する第１幅広部３３Ａに加えて、一方の側部３０ｃ側に突出する他の第１幅広部３３Ｂを有している。
【００９１】
本変形例における面ファスナー４２においては、他方の側部４２ｄに加え、一方の側部４２ｃも外側（紙面上方側）に広がるように構成されている。面ファスナー４２の一方の側部４２ｃは、一端部４２ａ側から他端部４２ｂ側に向かうにつれ、面ファスナー４２の幅が徐々に広くなるような円弧状に構成されている。面ファスナー４２は、その一部において幅Ｌ２を有している。
【００９２】
面ファスナー４２の一部における幅Ｌ２は、実施の形態１と同様に、面ファスナー４１における幅Ｌ１よりも広く設定されている。面ファスナー４２の当該広く設定されている部分において、面ファスナー４２は、他方の側部４２ｄ側に突出する第２幅広部４３Ａに加えて、一方の側部４２ｃ側に突出する他の第２幅広部４３Ｂを有している。
【００９３】
（効果）
本変形例におけるカフ２１において、外装カバー３０は第１幅広部３３Ａおよび他の第１幅広部３３Ｂを有しており、かつ面ファスナー４２は第２幅広部４３Ａおよび他の第２幅広部４３Ｂを有している。
【００９４】
実施の形態１におけるカフ２０は、面ファスナー４１と面ファスナー４２とを相互に十分に接触させるために、第１幅広部３３Ａおよび第２幅広部４３Ａが設けられている側（外装カバー３０の側部３０ｄ側）が、肘側に位置するように巻き付けられる必要がある。したがって、実施の形態１におけるカフ２０を備えた血圧計は、一方の腕（たとえば左腕）にのみ巻き付けて使用することが可能である。
【００９５】
本変形例における外装カバー３０は、外装カバー３０の側部３０ｄ側に第１幅広部３３Ａおよび第２幅広部４３Ａが設けられ、外装カバー３０の側部３０ｃ側に他の第１幅広部３３Ｂおよび他の第２幅広部４３Ｂが設けられている。したがって、本変形例におけるカフ２１を備えた血圧計は、いずれの腕（右腕および左腕）に巻き付けても使用することが可能である。
【００９６】
外装カバー３０における第１幅広部３３Ａ，３３Ｂ、および面ファスナー４２における第２幅広部４３Ａ，４３Ｂは、外装カバー３０の一端部３０ａ側から他端部３０ｂ側に向かうにつれ、それらの幅が徐々に広がるような円弧状に構成されている。
【００９７】
ここで仮に、カフ２１が上腕に対して環状に巻き付けられた際、外装カバー３０の側部３０ｄ側が肘近くに載置されるように載置されたとする（図１６参照）。この場合、カフ２１を上腕に巻き付ける途中において、外装カバー３０の上記円弧状の構成を利用することができる。具体的には、外装カバー３０の側部３０ｄのうち、上腕に対して既に巻き付けられている側部３０ｄの上に沿って、上腕に未だ巻き付けられていない側部３０ｄを重ね合わせることが可能となる。
【００９８】
側部３０ｄが全体として重ね合わせられることによって、側部３０ｄは上腕周りにおいて１つの円を略同一平面上に形成する。カフ２１を備えた血圧計の利用者に対して、視覚的な安定感を与えることが可能となる。
【００９９】
［第２変形例］
図６を参照して、実施の形態１の第２変形例における血圧計ついて説明する。本変形例の説明においては、実施の形態１の第１変形例（図５）に基づいて、第１変形例との相違点についてのみ説明する。第１変形例と本変形例とは、カフの構成において相違し、その他の構成については略同様である。
【０１００】
より具体的には、第１変形例と本変形例とは、カフ２２（図６参照）を構成する外装カバー３０、およびカフ２２を構成する面ファスナー４２において相違する。
【０１０１】
本変形例におけるカフ２２を構成する外装カバー３０は、第１幅広部３３Ａおよび第１幅広部３３Ｂを、表面３１側または裏面３２側にそれぞれ折り返すことが可能な構成となっている。
【０１０２】
本変形例におけるカフ２２を構成する面ファスナー４２も、外装カバー３０と同様に、第２幅広部４３Ａおよび第２幅広部４３Ｂを、表面３１側または裏面３２側にそれぞれ折り返すことが可能な構成となっている。
【０１０３】
第１幅広部３３Ａ、第１幅広部３３Ｂ、第２幅広部４３Ａおよび第２幅広部４３Ｂを折り返すことが可能な構成により、カフ２２を備える血圧計を収納するケースなどに収納する際、当該ケースの大きさを小さく構成することができる。加えて、血圧値の測定中においても、上記各幅広部３３Ａ，３３Ｂ，４３Ａ，４３Ｂと生体とが干渉することを抑制することが可能となる。
【０１０４】
［第３変形例］
図７を参照して、実施の形態１の第３変形例における血圧計ついて説明する。本変形例の説明においては、実施の形態１の第１変形例（図５）に基づいて、第１変形例との相違点についてのみ説明する。第１変形例と本変形例とは、カフの構成において相違し、その他の構成については略同様である。
【０１０５】
より具体的には、第１変形例と本変形例とは、カフ２３（図７参照）を構成する外装カバー３０、およびカフ２３を構成する面ファスナー４２において相違する。
【０１０６】
本変形例におけるカフ２３を構成する外装カバー３０のうち、面ファスナー４２が設けられている領域を含む部分には、外装カバー３０の他端部３０ｂ側から一端部３０ａ側に向かって略Ｖ字状の切り欠き３０ｖが設けられている。切り欠き３０ｖは、外装カバー３０の幅方向の略中心に位置している。切り欠き３０ｖは、外装カバー３０の他端部３０ｂ側から一端部３０ａ側に向かって設けられている。
【０１０７】
本変形例におけるカフ２３を構成する面ファスナー４２にも、他端部４２ｂ側から一端部４２ａ側に向かって略Ｖ字状の切り欠き４２ｖが設けられている。切り欠き４２ｖは、面ファスナー４２の幅方向の略中心に位置し、他端部４２ｂ側から一端部４２ａ側に向かって設けられている。
【０１０８】
ここで、第１変形例（図５）におけるカフ２１を上腕などの生体に環状に巻き付けた後、面ファスナー４１と面ファスナー４２とを係止させたとき、外装カバー３０の他端部３０ｂ側において幅方向に皺が発生する場合がある。本変形例におけるカフ２３によれば、切り欠き３０ｖおよび切り欠き４２ｖが設けられていることにより、外装カバー３０の他端部３０ｂ側において幅方向に皺が発生することを抑制することが可能となる。
【０１０９】
［第４変形例］
図８を参照して、実施の形態１の第４変形例における血圧計について説明する。本変形例の説明においては、実施の形態１の第１変形例（図５）に基づいて、第１変形例との相違点についてのみ説明する。第１変形例と本変形例とは、カフの構成において相違し、その他の構成については略同様である。
【０１１０】
より具体的には、第１変形例と本変形例とは、カフ２４（図８参照）を構成する外装カバー３０の外形形状、およびカフ２４を構成する面ファスナー４２の外形形状において相違する。
【０１１１】
本変形例における外装カバー３０のうち、面ファスナー４１が設けられている領域Ｒ１を含む部分は、第１変形例と同様に長手方向に延びて略帯状に構成されている。当該部分は、幅Ｗ１を有している。
【０１１２】
本変形例における外装カバー３０のうち、面ファスナー４２が設けられている領域Ｒ２を含む部分の外形形状は、４つの角部が丸みを帯びた略矩形状に構成されている。
【０１１３】
外装カバー３０のうち面ファスナー４２が設けられている領域Ｒ２を含む部分は、第１変形例と同様に、その一部において幅Ｗ２を有している。
【０１１４】
面ファスナー４２が設けられている領域Ｒ２を含む部分の一部における幅Ｗ２は、第１変形例と同様に、外装カバー３０のうち領域Ｒ１を含む部分の幅Ｗ１よりも広く設定されている。外装カバー３０の当該広く設定されている部分において、外装カバー３０は、他方の側部３０ｄ側に突出する第１幅広部３３Ａと、一方の側部３０ｃ側に突出する他の第１幅広部３３Ｂとを有している。
【０１１５】
本変形例における面ファスナー４２の外形形状は、４つの角部が丸みを帯びた略矩形状に構成されている。面ファスナー４２は、第１変形例と同様に、その一部において幅Ｌ２を有している。
【０１１６】
面ファスナー４２の一部における幅Ｌ２は、第１変形例と同様に、面ファスナー４１における幅Ｌ１よりも広く設定されている。面ファスナー４２の当該広く設定されている部分において、面ファスナー４２は、他方の側部４２ｄ側に突出する第２幅広部４３Ａと、一方の側部４２ｃ側に突出する他の第２幅広部４３Ｂとを有している。
【０１１７】
本変形例におけるカフ２４においては、第１変形例と同様に、外装カバー３０に第１幅広部３３Ａ，３３Ｂが設けられ、かつ面ファスナー４２に第２幅広部４３Ａ，４３Ｂが設けられている。外装カバー３０の他端部３０ｂが肩側に偏った状態で係止された場合であっても、面ファスナー４１と面ファスナー４２とは相互に十分な接触面積をもって接触することができる。
【０１１８】
本変形例におけるカフ２４およびこれを備えた血圧計によれば、被測定部位に対する装着を確実に行なうことが可能となり、測定値にばらつきが生じることも無く、精度よく安定的に血圧情報を測定することが可能となる。本変形例におけるカフ２４を備えた血圧計は、いずれの腕（右腕および左腕）に巻き付けても使用することが可能である。
【０１１９】
［第５変形例］
図９を参照して、実施の形態１の第５変形例における血圧計について説明する。本変形例の説明においては、実施の形態１の第１変形例（図５）に基づいて、第１変形例との相違点についてのみ説明する。第１変形例と本変形例とは、カフの構成において相違し、その他の構成については略同様である。
【０１２０】
より具体的には、第１変形例と本変形例とは、カフ２５（図９参照）を構成する外装カバー３０の外形形状、およびカフ２５を構成する面ファスナー４２の外形形状において相違する。
【０１２１】
本変形例における外装カバー３０のうち、面ファスナー４１が設けられている領域Ｒ１を含む部分は、第１変形例と同様に長手方向に延びて略帯状に構成されている。当該部分は、幅Ｗ１を有している。
【０１２２】
本変形例における外装カバー３０のうち、面ファスナー４２が設けられている領域Ｒ２を含む部分は、外装カバー３０の一端部３０ａ側に底辺を有する略二等辺三角形状に構成されている。
【０１２３】
外装カバー３０のうち面ファスナー４２が設けられている領域Ｒ２を含む部分は、第１変形例と同様に、その一部において幅Ｗ２を有している。
【０１２４】
面ファスナー４２が設けられている領域Ｒ２を含む部分の一部における幅Ｗ２は、第１変形例と同様に、外装カバー３０のうち領域Ｒ１を含む部分の幅Ｗ１よりも広く設定されている。外装カバー３０の当該広く設定されている部分において、外装カバー３０は、他方の側部３０ｄ側に突出する第１幅広部３３Ａと、一方の側部３０ｃ側に突出する他の第１幅広部３３Ｂとを有している。
【０１２５】
本変形例における面ファスナー４２は、面ファスナー４２の一端部４２ａ側に底辺を有する略二等辺三角形状に構成されている。面ファスナー４２は、第１変形例と同様に、その一部において幅Ｌ２を有している。
【０１２６】
面ファスナー４２の一部における幅Ｌ２は、第１変形例と同様に、面ファスナー４１における幅Ｌ１よりも広く設定されている。面ファスナー４２の当該広く設定されている部分において、面ファスナー４２は、他方の側部４２ｄ側に突出する第２幅広部４３Ａと、一方の側部４２ｃ側に突出する他の第２幅広部４３Ｂとを有している。
【０１２７】
本変形例におけるカフ２５においては、第１変形例と同様に、外装カバー３０に第１幅広部３３Ａ，３３Ｂが設けられ、かつ面ファスナー４２に第２幅広部４３Ａ，４３Ｂが設けられている。外装カバー３０の他端部３０ｂが肩側に偏った状態で係止された場合であっても、面ファスナー４１と面ファスナー４２とは相互に十分な接触面積をもって接触することができる。
【０１２８】
本変形例におけるカフ２５およびこれを備えた血圧計によれば、被測定部位に対する装着を確実に行なうことが可能となり、測定値にばらつきが生じることも無く、精度よく安定的に血圧情報を測定することが可能となる。本変形例におけるカフ２５を備えた血圧計は、いずれの腕（右腕および左腕）に巻き付けても使用することが可能である。
【０１２９】
［第６変形例］
図１０を参照して、実施の形態１の第６変形例における血圧計について説明する。本変形例の説明においては、実施の形態１の第１変形例（図５）に基づいて、第１変形例との相違点についてのみ説明する。第１変形例と本変形例とは、カフの構成において相違し、その他の構成については略同様である。
【０１３０】
より具体的には、第１変形例と本変形例とは、カフ２６（図１０参照）を構成する外装カバー３０の外形形状、およびカフ２６を構成する面ファスナー４２の外形形状において相違する。
【０１３１】
本変形例における外装カバー３０のうち、面ファスナー４１が設けられている領域Ｒ１を含む部分は、第１変形例と同様に長手方向に延びて略帯状に構成されている。当該部分は、幅Ｗ１を有している。
【０１３２】
本変形例における外装カバー３０のうち、面ファスナー４２が設けられている領域Ｒ２を含む部分は、一端部３０ａ側の部分においては幅方向と平行になるような直線状に構成され、他の部分においては上記一端部３０ａ側の部分と連続し他端部３０ｂ側に向かって略楕円形状に構成されている。
【０１３３】
外装カバー３０のうち面ファスナー４２が設けられている領域Ｒ２を含む部分は、第１変形例と同様に、その一部において幅Ｗ２を有している。
【０１３４】
面ファスナー４２が設けられている領域Ｒ２を含む部分の一部における幅Ｗ２は、第１変形例と同様に、外装カバー３０のうち領域Ｒ１を含む部分の幅Ｗ１よりも広く設定されている。外装カバー３０の当該広く設定されている部分において、外装カバー３０は、他方の側部３０ｄ側に突出する第１幅広部３３Ａと、一方の側部３０ｃ側に突出する他の第１幅広部３３Ｂとを有している。
【０１３５】
本変形例における面ファスナー４２は、面ファスナー４２の一端部４２ａ側の部分においては幅方向と平行となるような直線状に構成され、他の部分においては上記一端部４２ａ側の部分と連続し他端部４２ｂ側に向かって略楕円形状に構成されている。面ファスナー４２は、第１変形例と同様に、その一部において幅Ｌ２を有している。
【０１３６】
面ファスナー４２の一部における幅Ｌ２は、第１変形例と同様に、面ファスナー４１における幅Ｌ１よりも広く設定されている。面ファスナー４２の当該広く設定されている部分において、面ファスナー４２は、他方の側部４２ｄ側に突出する第２幅広部４３Ａと、一方の側部４２ｃ側に突出する他の第２幅広部４３Ｂとを有している。
【０１３７】
本変形例におけるカフ２６においては、第１変形例と同様に、外装カバー３０に第１幅広部３３Ａ，３３Ｂが設けられ、かつ面ファスナー４２に第２幅広部４３Ａ，４３Ｂが設けられている。外装カバー３０の他端部３０ｂが肩側に偏った状態で係止された場合であっても、面ファスナー４１と面ファスナー４２とは相互に十分な接触面積をもって接触することができる。
【０１３８】
本変形例におけるカフ２６およびこれを備えた血圧計によれば、被測定部位に対する装着を確実に行なうことが可能となり、測定値にばらつきが生じることも無く、精度よく安定的に血圧情報を測定することが可能となる。本変形例におけるカフ２６を備えた血圧計は、いずれの腕（右腕および左腕）に巻き付けても使用することが可能である。
【０１３９】
［第７変形例］
図１１を参照して、実施の形態１の第７変形例における血圧計について説明する。本変形例の説明においては、実施の形態１の第６変形例（図１０）に基づいて、第６変形例との相違点についてのみ説明する。第６変形例と本変形例とは、カフの構成において相違し、その他の構成については略同様である。
【０１４０】
より具体的には、第６変形例と本変形例とは、カフ２７（図１１参照）を構成する外装カバー３０の形状、およびカフ２７を構成する面ファスナー４２の形状において相違する。
【０１４１】
本変形例におけるカフ２７を構成する外装カバー３０のうち、面ファスナー４２が設けられている領域を含む部分には、表面３１側から裏面３２側に向かって貫通する開口部３０Ｈが設けられている。
【０１４２】
本変形例におけるカフ２７を構成する面ファスナー４２にも、表面３１側から裏面３２側に向かって貫通する開口部４２Ｈが設けられている。
【０１４３】
外装カバー３０の開口部３０Ｈと面ファスナー４２の開口部４２Ｈとは、平面視において略同一の形状を有し、略同一の位置に配置されている。
【０１４４】
具体的には、開口部４２Ｈおよび開口部３０Ｈは、長手方向に延びる略楕円形状に形成されている。開口部３０Ｈおよび開口部４２Ｈは、面ファスナー４２の幅方向における略中心、および長手方向における略中心に位置している。
【０１４５】
外装カバー３０に開口部３０Ｈが設けられ、面ファスナー４２に開口部４２Ｈが設けられていることにより、外装カバー３０および面ファスナー４２を長手方向に容易に伸縮させることが可能となる。当該伸縮を利用して、カフ２７は、多様な生体の形状に対して柔軟に巻き付けられることが可能となる。
【０１４６】
［実施の形態２］
図１２を参照して、本実施の形態における血圧計について説明する。本実施の形態の説明においては、実施の形態１に基づいて、実施の形態１との相違点についてのみ説明する。実施の形態１と本実施の形態とはカフの構成において相違し、その他の構成については略同様である。
【０１４７】
より具体的には、本実施の形態におけるカフ２８（図１２参照）は、第１の外装カバー３０Ａと、第２の外装カバー３０Ｂと、第１の外装カバー３０Ａに流体袋として内包される空気袋（不図示）と、面ファスナー４１（第１係止部材）と、面ファスナー４２（第２係止部材）と、接続部材３８とを備えている。
【０１４８】
第１の外装カバー３０Ａは、表面３１Ａ、裏面３２Ａ、一端部３０Ａａ、および他端部３０Ａｂを有している。第１の外装カバー３０Ａは、長手方向に延びて略帯状に形成されている。空気袋は、上述のとおり第１の外装カバー３０Ａに内包されている。空気袋は、エア管８０に接続されている。
【０１４９】
面ファスナー４１は、第１の外装カバー３０Ａの表面３１Ａ上において略矩形状に設けられている。面ファスナー４１は、第１の外装カバー３０Ａの一端部３０Ａａ側に設けられている。面ファスナー４１は、第１の外装カバー３０Ａの幅方向の略中心位置に設けられている。
【０１５０】
第２の外装カバー３０Ｂは、表面３１Ｂ、裏面３２Ｂ、一端部３０Ｂａ、および他端部３０Ｂｂを有している。第２の外装カバー３０Ｂは、長手方向に延びて略帯状に形成されている。
【０１５１】
面ファスナー４２は、第２の外装カバー３０Ｂの裏面３２Ｂ上において、裏面３２Ｂの略全面を覆うように略矩形状に設けられている。
【０１５２】
接続部材３８は、第１の外装カバー３０Ａの他端部３０Ａｂ側と、第２の外装カバー３０Ｂの一端部３０Ｂａ側とを回動可能に接続している。接続部材３８により、第２の外装カバー３０Ｂは、第１の外装カバー３０Ａに対して矢印Ａ１に示す方向および矢印Ａ２に示す方向に回動することができる。
【０１５３】
接続部材３８は、たとえば紙面垂直方向に延びる筒状に形成される。接続部材３８には、第１の外装カバー３０Ａと第２の外装カバー３０Ｂとの接続状態を保持するために、（紙面垂直方向における）双方の端部において、それぞれ筒径方向に突出するフランジ状の突起が設けられているとよい。
【０１５４】
上記構成を有する血圧計を使用して血圧値を測定するときは、カフ２８が、第１の外装カバー３０Ａの裏面３２Ａ（および第２の外装カバー３０Ｂの裏面３２Ｂ）と、生体としてたとえば上腕とが対向するように載置される。第１および第２の外装カバー３０Ａ，３０Ｂは、上腕に対して環状に巻き付けられる。
【０１５５】
面ファスナー４１と面ファスナー４２とは、重ね合わされることによって相互に係止し、巻き付けられた第１および第２の外装カバー３０Ａ，３０Ｂの上腕に対する締結状態を保持する。空気袋が生体に対して固定され、血圧情報の測定が可能となる。
【０１５６】
（効果）
カフ２８が、生体としてたとえば上腕に巻き付けられたとき、第２の外装カバー３０Ｂの他端部３０Ｂｂが肩側に偏った状態で係止される場合がある。
【０１５７】
本実施の形態における血圧計においては、第１の外装カバー３０Ａと第２の外装カバー３０Ｂとが回動可能に接続されている。たとえば上述の図１６において、面ファスナー４１のうち面ファスナー４２と接触せず露出していた部分は、第２の外装カバー３０Ｂを回動させることによって、面ファスナー４２により覆われる。
【０１５８】
面ファスナー４１と面ファスナー４２とは相互に十分な接触面積をもって接触する。面ファスナー４１と面ファスナー４２との接触面積が大きくなることにより、面ファスナー４１と面ファスナー４２との係止力を十分に確保することができる。
【０１５９】
空気袋を所望の圧力で膨張および収縮させることが可能となり、血圧値の測定中にカフ２８が上腕などの生体から外れてしまうことを防止できる。本実施の形態におけるカフ２８およびこれを備えた血圧計によれば、被測定部位に対する装着を確実に行なうことが可能となり、測定値にばらつきが生じることも無く、精度よく安定的に血圧情報を測定することが可能となる。
【０１６０】
本実施の形態における血圧計においては、第１の外装カバー３０Ａと第２の外装カバー３０Ｂとが、矢印Ａ１および矢印Ａ２に示す双方向に回動可能に接続されている。したがって、本実施の形態におけるカフ２８を備えた血圧計は、いずれの腕（右腕および左腕）に巻き付けて使用されても、第２の外装カバー３０Ｂを回動させることによって、面ファスナー４１と面ファスナー４２との係止力を十分に確保することができる。
【０１６１】
［実施の形態３］
図１３を参照して、実施の形態３における血圧計１ａについて説明する。本実施の形態の説明においては、実施の形態１との相違点についてのみ説明する。実施の形態１と本実施の形態とは、カフの構成において相違し、その他の構成については略同様である。
【０１６２】
より具体的には、本実施の形態におけるカフ２９（図１３参照）は、外装カバー３０と、外装カバー３０に流体袋として内包される空気袋３４と、面ファスナー４１（第１係止部材）と、面ファスナー４２（第２係止部材）と、環状リング３６とを有している。
【０１６３】
外装カバー３０の一方の側部３０ｃは、長手方向に沿って略直線状に構成されている。外装カバー３０のうち、面ファスナー４１が設けられている領域を含む部分は、長手方向に延びて略帯状に構成されている。当該部分は、幅Ｗ１を有している。
【０１６４】
外装カバー３０においては、他方の側部３０ｄのみが外側（紙面上方側）に湾曲して広がるように構成されている。外装カバー３０の他方の側部３０ｄは、一端部３０ａ側から他端部３０ｂ側に向かうにつれ、外装カバー３０のうち面ファスナー４２が設けられている領域を含む部分において、外装カバー３０の幅が徐々に広くなるように構成されている。
【０１６５】
外装カバー３０のうち、面ファスナー４２が設けられている領域を含む部分は、その一部において幅Ｗ２を有している。
【０１６６】
面ファスナー４２が設けられている領域を含む部分の一部における幅Ｗ２は、外装カバー３０のうち面ファスナー４１が設けられている領域を含む部分の幅Ｗ１よりも広く設定されている。外装カバー３０の当該広く設定されている部分において、外装カバー３０は、他方の側部３０ｄ側に突出する第１幅広部３３Ａを有している。
【０１６７】
面ファスナー４１は、外装カバー３０の表面３１上において略矩形状に設けられている。面ファスナー４１は、外装カバー３０の長手方向における一端部３０ａと他端部３０ｂとの間に設けられている。面ファスナー４１は、外装カバー３０の幅方向の略中心位置に設けられている。面ファスナー４１は、幅Ｌ１を有している。
【０１６８】
面ファスナー４２は、面ファスナー４１と同様に、外装カバー３０の表面３１上に設けられている。面ファスナー４２は、外装カバー３０の他端部３０ｂ側に設けられている。面ファスナー４２は、一端部４２ａ、他端部４２ｂ、一方の側部４２ｃ、および他方の側部４２ｄを有している。
【０１６９】
面ファスナー４２の一方の側部４２ｃは、外装カバー３０の長手方向と略平行な直線状に構成されている。
【０１７０】
面ファスナー４２においては、他方の側部４２ｄのみが外側（紙面上方側）に湾曲して広がるように構成されている。面ファスナー４２の他方の側部４２ｄは、一端部４２ａ側から他端部４２ｂ側に向かうにつれ、面ファスナー４２の幅が徐々に広くなるように構成されている。面ファスナー４２は、その一部において幅Ｌ２を有している。
【０１７１】
面ファスナー４２の一部における幅Ｌ２は、面ファスナー４１における幅Ｌ１よりも広く設定されている。面ファスナー４２の当該広く設定されている部分において、面ファスナー４２は、他方の側部４２ｄ側に突出する第２幅広部４３Ａを有している。
【０１７２】
環状リング３６は、外装カバー３０の一端部３０ａ側に取付けられている。環状リング３６は、外装カバー３０の一端部３０ａ側の部分を環状リング３６に挿通させ折り返して縫合することにより、外装カバー３０に取付けられている。
【０１７３】
環状リング３６は、外装カバー３０との間に摩擦が生じ難いたとえば金属製の部材にて構成され、外装カバー３０の他端部３０ｂ側の部分を挿通可能な挿通孔を有している。外装カバー３０は、外装カバー３０の他端部３０ｂが外装カバー３０の一端部３０ａ付近に取付けられた環状リング３６の挿通孔に挿通されることで、環状の形態に維持される。
【０１７４】
外装カバー３０の他端部３０ｂ側の部分は、外装カバー３０の環状に形成された部分の周方向に沿って環状リング３６に向かい、環状リング３６を基点に折り返される。
【０１７５】
上記構成を有する血圧計１ａを使用して血圧値を測定するとき、環状に形成された外装カバー３０にたとえば被験者の左腕の上腕（不図示）が挿入される。外装カバー３０は、被験者の右手により外装カバー３０の他端部３０ｂが環状リング３６から離れる方向に引っ張られることにより、外装カバー３０が上腕に対して締結される。
【０１７６】
面ファスナー４１および面ファスナー４２は、相互に係止することによって、巻き付けられた外装カバー３０の上腕に対する締結状態を保持する。外装カバー３０に内包される空気袋が上腕に対して固定され、血圧情報の測定が可能となる。
【０１７７】
本実施の形態における血圧計１ａにおいては、外装カバー３０に第１幅広部３３Ａが設けられ、かつ面ファスナー４２に第２幅広部４３Ａが設けられている。本実施の形態における血圧計１ａにおいては、第１幅広部３３Ａおよび第２幅広部４３Ａが設けられている側の側部（他方の側部３０ｄ）を、肘側に位置するように配置する。
【０１７８】
カフ２９が、生体としてたとえば上腕に巻き付けられたとき、外装カバー３０の他端部３０ｂの側部３０ｃ側が肩側に偏った状態で係止される場合がある。本実施の形態における血圧計１ａによれば、面ファスナー４２に第２幅広部４３Ａが設けられていることにより、面ファスナー４１と面ファスナー４２とは、相互に十分な接触面積をもって接触する。面ファスナー４１と面ファスナー４２との接触面積が大きくなることにより、面ファスナー４１と面ファスナー４２との係止力を十分に確保することができる。
【０１７９】
空気袋３４を所望の圧力で膨張および収縮させることが可能となり、血圧値の測定中にカフ２９が上腕などの生体から外れてしまうことを防止できる。したがって、本実施の形態におけるカフ２９およびこれを備えた血圧計１ａによれば、被測定部位に対する装着を確実に行なうことが可能となり、測定値にばらつきが生じることも無く、精度よく安定的に血圧情報を測定することが可能となる。
【０１８０】
以上、本発明の発明を実施するための形態について説明したが、今回開示された形態はすべての点で例示であって制限的なものではないと考えられるべきである。本発明の範囲は特許請求の範囲によって示され、特許請求の範囲と均等の意味および範囲内でのすべての変更が含まれることが意図される。
【０１８１】
たとえば、実施の形態１（第１〜第７変形例を含む、以下同じ）と、実施の形態３とについては、各構成（技術的思想）を適宜組み合わせることが可能である。実施の形態２と、実施の形態３とについても、各構成（技術的思想）を適宜組み合わせることが可能である。
【０１８２】
実施の形態１〜実施の形態３においては、血圧値の測定に際して上腕にカフが装着されるいわゆる上腕式の血圧計およびこれに具備される血圧計用カフを例示して説明を行なったが、特にこれに限定されるものではない。
【０１８３】
実施の形態１〜実施の形態３における構成は、血圧値の測定に際して手首にカフが装着されるいわゆる手首式の血圧計およびこれに具備される血圧計用カフに適用することも可能である。
【０１８４】
実施の形態１〜実施の形態３における構成は、血圧値の測定に際して足首にカフが装着されるいわゆる足首式の血圧計およびこれに具備される血圧計用カフ等に適用することも可能である。
【０１８５】
実施の形態１〜実施の形態３における構成は、収縮期血圧値および拡張期血圧値等の血圧値が測定可能な血圧計およびこれに具備される血圧計用カフに適用した場合を例示して説明を行なったが、特にこれに限定されるものではない。
【０１８６】
実施の形態１〜実施の形態３における構成は、収縮期血圧値および拡張期血圧値等の血圧値以外の他の血圧情報（たとえば、平均血圧値、脈波、脈拍、ＡＩ（Augmentation Index）値等）が測定可能な血圧情報測定装置およびこれに具備される血圧情報測定装置用カフに適用することも可能である。
【符号の説明】
【０１８７】
１，１ａ  血圧計、１０  本体、１１  制御部、１２  表示部、１３  メモリ部、１３ａ  処理用メモリ、１３ｂ  データ用メモリ、１４  電源部、１５  操作部、１５ａ  電源スイッチ、１５ｂ  測定スイッチ、１５ｃ  停止スイッチ、１５ｄ  記録呼出スイッチ、１６  エア系コンポーネント、１６ａ  加圧ポンプ、１６ｂ  排気弁、１６ｃ  圧力センサ、１７ａ  加圧ポンプ駆動回路、１７ｂ  排気弁駆動回路、１７ｃ  発振回路、２０〜２９，１００Ａ，１００Ｂ  カフ、３０，３０Ａ，３０Ｂ  外装カバー、３０ａ，３０Ａａ，３０Ｂａ，４２ａ  一端部、３０Ａｂ，３０ｂ，３０Ｂｂ，４２ｂ  他端部、３０ｃ，３０ｄ，４２ｃ，４２ｄ  側部、３０Ｈ，４２Ｈ  開口部、３１，３１Ａ，３１Ｂ  表面、３２，３２Ａ，３２Ｂ  裏面、３３Ａ，３３Ｂ  第１幅広部、３４  空気袋、３６  環状リング、３８  接続部材、４１，４２  面ファスナー、４３Ａ，４３Ｂ  第２幅広部、７０  上腕、８０  エア管、Ａ１，Ａ２  矢印、Ｌ１，Ｌ２，Ｗ１，Ｗ２  幅、Ｒ１，Ｒ２  領域、Ｓ  隙間、ＳＴ１〜ＳＴ１３  ステップ。
【図１】
0005494008.tif 000002
【図２】
0005494008.tif 000003
【図３】
0005494008.tif 000004
【図４】
0005494008.tif 000005
【図５】
0005494008.tif 000006
【図６】
0005494008.tif 000007
【図７】
0005494008.tif 000008
【図８】
0005494008.tif 000009
【図９】
0005494008.tif 000010
【図１０】
0005494008.tif 000011
【図１１】
0005494008.tif 000012
【図１２】
0005494008.tif 000013
【図１３】
0005494008.tif 000014
【図１４】
0005494008.tif 000015
【図１５】
0005494008.tif 000016
【図１６】
0005494008.tif 000017
【図１７】
0005494008.tif 000018